(57)【特許請求の範囲】
【請求項１】
両面フィルム貼り付け装置であって、
フレーム（１）と、前記フレーム（１）に設けられるフィルム貼り付け台（２）と、を含み、
前記フィルム貼り付け台（２）には、フィルム巻き上げドラム（１０２）を位置決めできる位置決めローラ（１１）と、フィルム（１０３）の引き出された端部縁を挟持固定できる挟持固定台（３）と、が設けられ、
前記フィルム巻き上げドラム（１０２）は、前記位置決めローラ（１１）に外装され、
前記フィルム貼り付け台（２）には、円形のフィルム貼り付け口（２１）が形成され、
前記挟持固定台（３）は、前記フィルム貼り付け口（２１）の片側に位置し、
前記位置決めローラ（１１）は、前記挟持固定台（３）の上方に位置し、
前記フィルム貼り付け台（２）の下方には、下回転台（５１）が回転自在に接続され、
前記フィルム貼り付け台（２）の上方には、上回転台（４１）が回転自在に接続され、
前記上回転台（４１）と前記下回転台（５１）とは、いずれも前記フィルム貼り付け口（２１）と対向し、
前記下回転台（５１）には、前記円蓋（１０１）の下側面に当接できる下フィルム貼り付けローラ（５３）が回転自在に接続され、
前記上回転台（４１）には、上フィルム貼り付けローラ（４３）が回転自在に接続され、
前記フィルム貼り付け台（２）には、水平方向に沿って伸縮可能な伸縮アーム（６１）が設けられ、
前記伸縮アーム（６１）には、フィルム押しローラ（６２）が水平に接続され、
前記フィルム押しローラ（６２）は、前記伸縮アーム（６１）が伸びだす時に、前記位置決めローラ（１１）と前記挟持固定台（３）との間及び前記上回転台（４１）と前記下回転台（５１）との間を次第に通過することができ、
前記フィルム貼り付け台（２）の上方には、引き出された前記フィルム（１０３）を前記挟持固定台（３）に圧入できるフィルム圧入部品が設けられ、
前記フィルム（１０３）が前記挟持固定台（３）に挟持固定される時に、前記フィルム圧入部品は、前記フィルム押しローラ（６２）に引き出された前記フィルム（１０３）の部分と、前記フィルム（１０３）の前記挟持固定台（３）内に位置する部分と、を切り離すことができ、
前記フレーム（１）には、前記上回転台（４１）と前記フィルム圧入部品とを下降させて前記上フィルム貼り付けローラ（４３）を前記円蓋（１０１）の上側面に圧着することができる昇降部品が設けられ、
前記フレーム（１）には、前記上回転台（４１）と前記下回転台（５１）とを同期に回転させることができるアクチュエータが設けられる、
ことを特徴とする両面フィルム貼り付け装置。
【請求項２】
前記挟持固定台（３）は、細長い形の固定挟持板（３１）と、細長い形の移動挟持板（３２）と、を含み、
前記固定挟持板（３１）と前記移動挟持板（３２）とは、いずれも前記位置決めローラ（１１）と平行して設けられ、
前記固定挟持板（３１）は、前記フィルム貼り付け台（２）の上側面に固定され、
前記固定挟持板（３１）における両端の側面には、いずれもガイドピン（３１１）が垂直に固定して接続され、
前記移動挟持板（３２）の両端には、いずれもガイドブッシュ（３２１）が固定され、
二つの前記ガイドブッシュ（３２１）は、それぞれ二つの前記ガイドピン（３１１）に摺動可能に外装され、
二つの前記ガイドピン（３１１）は、いずれも前記ガイドブッシュ（３２１）から延出し、
前記ガイドピン（３１１）の延出端には、いずれも挟持固定ばね（３３）が外装され、
前記挟持固定ばね（３３）は、一端が前記移動挟持板（３２）に働き、他端が前記ガイドピン（３１１）の端部に働き、
前記移動挟持板（３２）は、前記挟持固定ばね（３３）の作用によって前記固定挟持板（３１）に圧着され、
前記移動挟持板（３２）と前記固定挟持板（３１）との間には、上向きの挟持口（３４）が形成される、
ことを特徴とする請求項１に記載の両面フィルム貼り付け装置。
【請求項３】
前記フィルム貼り付け台（２）の上側面には、二つの横向き気筒（６）が水平に固定して接続され、
二つの前記横向き気筒（６）は、平行して設けられ且つ前記フィルム貼り付け口（２１）の片側を向き、
前記挟持固定台（３）は、前記フィルム貼り付け口（２１）と前記横向き気筒（６）との間に位置し、
前記横向き気筒（６）のピストンロッドは、前記伸縮アーム（６１）であり、
二つの前記伸縮アーム（６１）の間隔は、前記フィルム貼り付け口（２１）の内径より大きく、
二つの前記伸縮アーム（６１）が伸び出した時に前記フィルム貼り付け口（２１）が二つの前記伸縮アーム（６１）の間に位置し、
前記フィルム押しローラ（６２）の両端は、それぞれ二つの前記伸縮アーム（６１）の自由端の間に回転自在に接続される、
ことを特徴とする請求項２に記載の両面フィルム貼り付け装置。
【請求項４】
二つの前記伸縮アーム（６１）の自由端には、いずれも接続台（６３）が接続され、
前記接続台（６３）は、いずれも二本のリンク（６３１）と、調節ボルト（６３２）と、調節ナット（６３３）と、を含み、
二本の前記リンク（６３１）の一端は、ピンによってヒンジ接続され、
前記調節ナット（６３３）の上端には、接続ブッシュ（６３４）が固定され、
前記接続ブッシュ（６３４）には、回転ブッシュ（６３５）が回転自在に外装され、
一本の前記リンク（６３１）の他端は、前記回転ブッシュ（６３５）とピンによってヒンジ接続され、
他方の前記リンク（６３１）の他端は、ピンによって前記調節ボルト（６３２）とヒンジ接続され、
前記調節ボルト（６３２）は、鉛直に設けられ、且つ下端が前記伸縮アーム（６１）の自由端と固定して接続され、
前記調節ナット（６３３）は、前記調節ボルト（６３２）の上端に螺合され、
前記フィルム押しローラ（６２）は、三本あり、
三本の前記フィルム押しローラ（６２）は、対応の三対のピンの間に回転自在に接続される、
ことを特徴とする請求項３に記載の両面フィルム貼り付け装置。
【請求項５】
前記昇降部品は、昇降気筒（４５）と、昇降板（４）と、を含み、
前記昇降板（４）は、水平に設けられ、
前記昇降板（４）は、縦方向に沿って前記フレーム（１）に摺動可能に接続され、
前記昇降気筒（４５）は、前記フレーム（１）に固定され、
前記昇降気筒（４５）のピストロッドは、鉛直に下方を向き且つ前記昇降板（４）と固定して接続され、
前記上回転台（４１）は、前記昇降板（４）の下側面に回転自在に接続され、
前記フィルム圧入部品は、細長い形のフィルム押さえ板（７）を含み、
前記フィルム押さえ板（７）は、前記固定挟持板（３１）と平行して設けられ、
前記フィルム押さえ板（７）における上側面の両端には、いずれも案内棒（７１）が鉛直に固定して接続され、
前記昇降板（４）には、二つの貫穴が形成され、
二つの前記案内棒（７１）は、それぞれ上方へ二つの前記貫穴を貫通して設けられ、
前記案内棒（７１）の上端には、当接段鼻（７１１）が前記案内棒（７１）の円周方向に沿って設けられ、
前記案内棒（７１）には、フィルム押さえばね（７２）が外装され、
前記フィルム押さえばね（７２）は、上端が前記昇降板（４）の下側面に当接し、下端が前記フィルム押さえ板（７）の上側面に当接し、
前記当接段鼻（７１１）は、前記フィルム押さえばね（７２）の作用によって前記昇降板（４）の上側面に当接し、
前記フィルム押さえ板（７）は、前記上回転台（４１）より低くなる、
ことを特徴とする請求項３又は請求項４に記載の両面フィルム貼り付け装置。
【請求項６】
前記フィルム押さえ板（７）の下側面には、それぞれ長手方向に沿ってフィルム押さえ段鼻（７３）とカッター（７４）とが設けられ、
前記フィルム押さえ段鼻（７３）は、前記挟持口（３４）と対向し、
前記カッター（７４）の下縁は、鋸歯状の刃であり、
前記フィルム押さえ段鼻（７３）の下縁は、前記カッター（７４）の下縁より低くなり、
前記移動挟持板（３２）の上側面には、長手方向に沿って分割溝（３２２）が形成され、
前記フィルム押さえ板（７）が下降する時に、前記フィルム押さえ段鼻（７３）が前記移動挟持板（３２）と前記固定挟持板（３１）との間に嵌り、且つ前記カッター（７４）が前記分割溝（３２２）内に嵌り、
前記フィルム押さえ板（７）には、前記移動挟持板（３２）の上側面に圧着できるテンションバー（７５）が設けられ、
前記カッター（７４）は、前記テンションバー（７５）と前記フィルム押さえ段鼻（７３）との間に位置する、
ことを特徴とする請求項５に記載の両面フィルム貼り付け装置。
【請求項７】
前記フィルム押さえ板（７）の両端には、いずれもスライドブッシュ（７６）が鉛直に固定され、
前記テンションバー（７５）における上側面の両端には、いずれもスライドピン（７５１）が垂直に設けられ、
二つの前記スライドピン（７５１）は、それぞれ二つの前記スライドブッシュ（７６）内に摺動可能に挿設され、
前記スライドピン（７５１）には、テンショナースプリング（７７）が外装され、
前記テンショナースプリング（７７）は、上端が前記フィルム押さえ板（７）の下側面に固定され、下端が前記テンションバー（７５）の上側面に固定され、
前記テンションバー（７５）は、前記カッター（７４）より低くなり、
前記フィルム押さえ段鼻（７３）が前記移動挟持板（３２）と前記固定挟持板（３１）との間に嵌る時に、前記テンションバー（７５）は、前記テンションナースプリング（７７）の作用によって前記移動挟持板（３２）の上側面に圧着され、
前記フィルム押さえ段鼻（７３）における下縁の両端には、いずれも下方向きの押し片（７８）が設けられ、
前記押し片（７８）の側面は、前記フィルム押さえ段鼻（７３）の長手方向に沿って設けられ、
前記押し片（７８）の下端は、前記テンションバー（７５）より低くなり、
前記フィルム押さえ板（７）が下降する時に、前記押し片（７８）が前記固定挟持板（３１）と前記移動挟持板（３２）との間に完全に挿入される、
ことを特徴とする請求項６に記載の両面フィルム貼り付け装置。
【請求項８】
前記上回転台（４１）と前記下回転台（５１）とは、いずれもＵ字型棒状をなし、
前記上回転台（４１）のノッチは、下方を向き、
前記上回転台（４１）の両端には、いずれも上支持台（４２）が固定され、
二つの前記フィルム貼り付けローラ（４３）は、それぞれ二つの前記上支持台（４２）に回転自在に接続され、
二つの前記上フィルム貼り付けローラ（４３）は、前記フィルム貼り付け口（２１）の中心線に対し対称に設けられ、
二つの前記上フィルム貼り付けローラ（４３）の対向する端は、いずれも上方に傾斜して設けられ、
前記下回転台（５１）のノッチは、上方を向き、
前記下回転台（５１）の両端には、いずれも下支持台（５２）が固定して接続され、
二つの前記下フィルム貼り付けローラ（５３）は、それぞれ二つの前記下支持具（５２）に回転自在に接続され、
二つの前記下フィルム貼り付けローラ（５３）は、前記フィルム貼り付け口（２１）の中心線に対し対称に設けられ、
二つの前記下フィルム貼り付けローラ（５３）の対向する端は、いずれも上方に傾斜して設けられ、
前記フレーム（１）において前記フィルム貼り付け口（２１）の下方には、回転盤（５）が回転自在に接続され、
前記回転盤（５）は、前記フィルム貼り付け口（２１）と同じ軸心に設けられ、
前記回転盤（５）の上側面には、二つの接続管（５４）が垂直に設けられ、
前記下回転台（５１）の下側面には、二つの接続ピン（５５）が垂直に設けられ、
二つの前記接続ピン（５５）は、それぞれ二つの前記接続管（５４）内に摺動可能に穿設され、
前記接続管（５４）内には、緩衝ばね（５６）が設けられ、
二つの前記下フィルム貼り付けローラ（５３）は、前記緩衝ばね（５６）の作用によって前記フィルム貼り付け口（２１）から突起する、
ことを特徴とする請求項５に記載の両面フィルム貼り付け装置。
【請求項９】
前記両面フィルム貼り付け装置は、二つの円盤状のフィルムカッター（８２）を更に含み、
二つの前記上支持台（４２）の外端には、いずれも水平に設けられる接続板（４２１）が上下に配列され、
二つの前記接続板（４２１）には、鉛直方向に沿ってフィルムカッター棒（８）が摺動可能に穿設され、
前記フィルムカッター棒（８）の下端には、Ｕ字型板状のフィルムカッターホルダ（８１）が固定され、
前記フィルムカッターホルダ（８１）のノッチは、下方を向き、
前記フィルムカッター（８２）は、前記フィルムカッターホルダ（８１）内に回転自在に接続され、
前記フィルムカッター（８２）の回転中心線は、前記フィルム貼り付け口（２１）の径方向に沿って設けられ、
前記フィルムカッター棒（８）には、位置規制ナット（８３）が螺合され、
前記フィルムカッター棒（８）には、押さえばね（８４）が外装され、
前記押さえばね（８４）と前記位置規制ナット（８３）は、いずれも二つの前記接続板（４２１）の間に位置し、
前記押さえばね（８４）は、上端が上方の前記接続板（４２１）の下側面に圧着され、下端が前記位置規制ナット（８３）に圧着され、
前記フィルム貼り付け台（２）の上側面には、前記フィルム貼り付け口（２１）に周設される環状の位置規制段鼻（２２）が設けられ、
前記上回転台（４１）が下降する時に前記フィルムカッター（８２）が前記位置規制段鼻（２２）における外側面の前記フィルム貼り付け台（２）の上側面に当接できる、
ことを特徴とする請求項８に記載の両面フィルム貼り付け装置。
【請求項１０】
前記アクチュエータは、前記フレーム（１）に固定される駆動モータ（９）を含み、
前記フレーム（１）には、伝動軸（９１）が回転自在に接続され、
前記伝動軸（９１）は、鉛直に設けられ、
前記駆動モータ（９）のモータ軸は、前記伝動軸（９１）と接続され、
前記伝動軸（９１）には、それぞれ上駆動プーリ（９２）と下駆動プーリ（９５）とが固定して接続され、
前記回転盤（５）は、下回転軸（５７）によって前記フレーム（１）に回転自在に接続され、
前記下回転軸（５７）には、下従動プーリ（９６）が固定して接続され、
前記下駆動プーリ（９５）と前記下従動プーリ（９６）とは、下ベルト（９７）によって接続され、
前記上回転台（４１）は、上回転軸（４４）によって前記昇降板（４）に回転自在に接続され、
前記フレーム（１）には、上従動プーリ（９３）が回転自在に接続され、
前記上従動プーリ（９３）と前記上駆動プーリ（９２）とは、上ベルト（９４）によって接続され、
前記上従動プーリ（９３）には、中心穴（９３１）が形成され、
前記上回転軸（４４）の上端は、上方へ摺動して前記上従動プーリ（９３）における前記中心穴（９３１）を貫通して設けられ、
前記上回転軸（４４）と前記上従動プーリ（９３）とは、スプラインによって係合することで円周方向における位置決めを実現する、
ことを特徴とする請求項９に記載の両面フィルム貼り付け装置。
【発明の詳細な説明】
【技術分野】
【０００１】
本発明は、機械装置技術分野に関し、具体的には、両面フィルム貼り付け装置に関する。
【背景技術】
【０００２】
円蓋とは、円形の蓋のことである。円蓋は、占用空間を減少するため、互いに重なった状態で出荷搬送されるため、円蓋同士が互いに接触する側面には押圧や摩擦が行って円蓋に傷つけてしまう。したがって、出荷前に円蓋の側面にフィルムを貼り付ける必要がある。円蓋の保護に対する要求が低い場合、片側だけにフィルムを貼り付ければよく、そうして円蓋が互いに重なった状態にある時、互いに接触する任意の両側面は一層のフィルムによって仕切られ、保護作用を果たす。円蓋の保護に対する要求が高い場合、円蓋の両側面にフィルムを貼り付ける必要がある。従来の円蓋に対するフィルム貼り付けは、手動で行うため、異なる円蓋のフィルム貼り付け品質が異なり、効率が低い。
【先行技術文献】
【特許文献】
【０００３】
【特許文献１】中国特許出願公開第１０９３９７６８３号明細書
【発明の概要】
【発明が解決しようとする課題】
【０００４】
本発明は、上記の従来技術における問題を解決するために、両面フィルム貼り付け装置を提供し、円蓋の内外側面にフィルムを貼り付け、フィルム貼り付け品質と効率を向上させることを目的とする。
【課題を解決するための手段】
【０００５】
上記の目的を実現するために、両面フィルム貼り付け装置であって、フレームと、前記フレームに設けられるフィルム貼り付け台と、を含み、前記フィルム貼り付け台には、フィルム巻き上げドラムを位置決めできる位置決めローラと、フィルムの引き出された端部縁を挟持固定できる挟持固定台と、が設けられ、前記フィルム巻き上げドラムは、前記位置決めローラに外装され、前記フィルム貼り付け台には、円形のフィルム貼り付け口が形成され、前記挟持固定台は、前記フィルム貼り付け口の片側に位置し、前記位置決めローラは、前記挟持固定台の上方に位置し、前記フィルム貼り付け台の下方には、下回転台が回転自在に接続され、前記フィルム貼り付け台の上方には、上回転台が回転自在に接続され、前記上回転台と前記下回転台とは、いずれも前記フィルム貼り付け口と対向し、前記下回転台には、前記円蓋の下側面に当接できる下フィルム貼り付けローラが回転自在に接続され、前記上回転台には、上フィルム貼り付けローラが回転自在に接続され、前記フィルム貼り付け台には、水平方向に沿って伸縮可能な伸縮アームが設けられ、前記伸縮アームには、フィルム押しローラが水平に接続され、前記フィルム押しローラは、前記伸縮アームが伸びだす時に、前記位置決めローラと前記挟持固定台との間及び前記上回転台と前記下回転台との間を次第に通過することができ、前記フィルム貼り付け台の上方には、引き出された前記フィルムを前記挟持固定台に圧入できるフィルム圧入部品が設けられ、前記フィルムが前記挟持固定台に挟持固定される時に、前記フィルム圧入部品は、前記フィルム押しローラに引き出された前記フィルムの部分と、前記フィルムの前記挟持固定台内に位置する部分と、を切り離すことができ、前記フレームには、前記上回転台と前記フィルム圧入部品とを下降させて前記上フィルム貼り付けローラを前記円蓋の上側面に圧着することができる昇降部品が設けられ、前記フレームには、前記上回転台と前記下回転台とを同期に回転させることができるアクチュエータが設けられる。
【０００６】
フィルムを貼り付ける時に、フィルム巻き上げドラムを位置決めローラに外装して位置決めし、フィルムの端部を引き出して下方の挟持固定台内に挟持固定し、すなわちフィルムの引き出された部分がフィルム押しローラとフィルム貼り付け口との間を遮り、伸縮アームが伸び出し、フィルム押しローラがフィルムを押し上げ、フィルムの下端が挟持固定台に挟持固定されて位置決めされるため、フィルム巻き上げドラムにおけるフィルムが引き出され、フィルムは上回転台と下回転台との間に二層構造を形成し、円蓋を二層のフィルムの間に入れ、円蓋とフィルム貼り付け口とは、同心に下フィルム貼り付けローラに圧着すると同時に、円蓋が下層のフィルムに圧着し、伸縮アームが引っ込み、そして昇降板が下降し、フィルム押さえ段鼻が移動挟持板と固定挟持板との間に挿入され、テンションバーがフィルムを移動挟持板に圧着し、カッターが分割溝内に嵌ってフィルムを切断し、上回転台と下回転台との間の二層のフィルムがフィルム巻き上げドラムと離れ、フィルム巻き上げドラムの引き出された端の端部縁が挟持固定台に挟持固定され、次の円蓋に対するフィルム貼り付けを待ち、昇降板が引き続き下降し、フィルム押さえ板がフィルム押さえばねを圧縮して静止状態を維持し、上フィルム押さえローラが上層のフィルムを円蓋の上側面に圧着し、そしてアクチュエータが上回転台と下回転台とを同期に回転させ、上フィルム貼り付けローラと下フィルム貼り付けローラが二層のフィルムを平らに押し、二層のフィルムが円蓋の両側側面に貼り付けられ、貼り付けられたフィルムが整っており、品質と効率が向上する。
【０００７】
前記両面フィルム貼り付け装置において、前記挟持固定台は、細長い形の固定挟持板と、細長い形の移動挟持板と、を含み、前記固定挟持板と前記移動挟持板とは、いずれも前記位置決めローラと平行して設けられ、前記固定挟持板は、前記フィルム貼り付け台の上側面に固定され、前記固定挟持板における両端の側面には、いずれもガイドピンが垂直に固定して接続され、前記移動挟持板の両端には、いずれもガイドブッシュが固定され、二つの前記ガイドブッシュは、それぞれ二つの前記ガイドピンに摺動可能に外装され、且つ二つの前記ガイドピンは、いずれも前記ガイドブッシュから延出し、前記ガイドピンの延出端には、いずれも挟持固定ばねが外装され、前記挟持固定ばねは、一端が前記移動挟持板に働き、他端が前記ガイドピンの端部に働き、前記移動挟持板は、前記挟持固定ばねの作用によって前記固定挟持板に圧着され、前記移動挟持板と前記固定挟持板との間には、上向きの挟持口が形成され、前記固定挟持板と前記移動挟持板とをいずれも細長い形にすることで、前記フィルムにおける端部の縁を長手方向に沿って前記固定挟持板と前記移動挟持板との間に挟持固定し、引き出されたフィルムの部分が平らに広げられる状態にある。
【０００８】
前記両面フィルム貼り付け装置において、前記フィルム貼り付け台の上側面には、二つの横向き気筒が水平に固定して接続され、二つの前記横向き気筒は、平行して設けられ且つ前記フィルム貼り付け口の片側を向き、前記挟持固定台は、前記フィルム貼り付け口と前記横向き気筒との間に位置し、前記横向き気筒のピストンロッドは、前記伸縮アームであり、二つの前記伸縮アームの間隔は、前記フィルム貼り付け口の内径より大きく、且つ二つの前記伸縮アームが伸び出した時に前記フィルム貼り付け口が二つの前記伸縮アームの間に位置し、前記フィルム押しローラの両端は、それぞれ二つの前記伸縮アームの自由端の間に回転自在に接続され、前記伸縮アームは、前記フィルム貼り付け口の両側から伸び出すことができ、これによって前記フィルムが前記フィルム貼り付け口全体をカバーできる。
【０００９】
前記両面フィルム貼り付け装置において、二つの前記伸縮アームの自由端には、いずれも接続台が接続され、前記接続台は、いずれも二本のリンクと、調節ボルトと、調節ナットと、を含み、二本の前記リンクの一端は、ピンによってヒンジ接続され、前記調節ナットの上端には、接続ブッシュが固定され、前記接続ブッシュには、回転ブッシュが回転自在に外装され、一本の前記リンクの他端は、前記回転ブッシュとピンによってヒンジ接続され、他方の前記リンクの他端は、ピンによって前記調節ボルトとヒンジ接続され、前記調節ボルトは、鉛直に設けられ、且つ下端が前記伸縮アームの自由端と固定して接続され、前記調節ナットは、前記調節ボルトの上端に螺合され、前記フィルム押しローラは、三本あり、三本の前記フィルム押しローラは、対応の三対のピンの間に回転自在に接続され、二層の前記フィルムの間には、前記円蓋を入れるための隙間が形成され、三本の前記フィルム押しローラによって二層の前記フィルムの間に、前記円蓋を入れるために十分な隙間を形成することができ、また、前記調節ナットは、上下二本の前記フィルム押しローラの間隔を調節することで、二層の前記フィルムの間の隙間を調節することができ、これによってフランジの大きい前記円蓋に対応する。
【００１０】
前記両面フィルム貼り付け装置において、前記昇降部品は、昇降気筒と、昇降板と、を含み、前記昇降板は、水平に設けられ、前記昇降板は、縦方向に沿って前記フレームに摺動可能に接続され、前記昇降気筒は、前記フレームに固定され、前記昇降気筒のピストロッドは、鉛直に下方を向き且つ前記昇降板と固定して接続され、前記上回転台は、前記昇降板の下側面に回転自在に接続され、前記フィルム圧入部品は、細長い形のフィルム押さえ板を含み、前記フィルム押さえ板は、前記固定挟持板と平行して設けられ、前記フィルム押さえ板における上側面の両端には、いずれも案内棒が鉛直に固定して接続され、前記昇降板には、二つの貫穴が形成され、二つの前記案内棒は、それぞれ上方へ二つの前記貫穴を貫通して設けられ、前記案内棒の上端には、当接段鼻が前記案内棒の円周方向に沿って設けられ、前記案内棒には、フィルム押さえばねが外装され、前記フィルム押さえばねは、上端が前記昇降板の下側面に当接し、下端が前記フィルム押さえ板の上側面に当接し、前記当接段鼻は、前記フィルム押さえばねの作用によって前記昇降板の上側面に当接し、前記フィルム押さえ板は、前記上回転台より低くなり、前記フィルム押さえ板を前記上回転台より低くすることで、前記昇降板が下降し且つ前記上回転台と前記円蓋とが当接する前に、前記フィルム押さえ板は、引き出された前記フィルムを前記挟持固定台内に圧入して挟持固定することができ、引き出された前記フィルムを挟持固定且つ分割した後に、分割された二層の前記フィルムを平らに押して貼り付けて、前記フィルム巻き上げドラム等に邪魔することが回避される。
【００１１】
前記両面フィルム貼り付け装置において、前記フィルム押さえ板の下側面には、それぞれ長手方向に沿ってフィルム押さえ段鼻とカッターとが設けられ、前記フィルム押さえ段鼻は、前記挟持口と対向し、前記カッターの下縁は、鋸歯状の刃であり、前記フィルム押さえ段鼻の下縁は、前記カッターの下縁より低くなり、前記移動挟持板の上側面には、長手方向に沿って分割溝が形成され、前記フィルム押さえ板が下降する時に、前記フィルム押さえ段鼻が前記移動挟持板と前記固定挟持板との間に嵌り、且つ前記カッターが前記分割溝内に嵌り、前記フィルム押さえ板には、前記移動挟持板の上側面に圧着できるテンションバーが設けられ、前記カッターは、前記テンションバーと前記フィルム押さえ段鼻との間に位置し、前記フィルム押さえ段鼻の下縁を前記カッターの下縁より低くすることで、前記フィルム押さえ板が下降する時に、前記フィルム押さえ段鼻が事前に前記フィルムを前記移動挟持板と前記固定挟持板との間に圧入してから、前記カッターが分割を行い、これによって、前記フィルムが分割された後に直接的に前記フィルム押さえ段鼻から離れて前記挟持固定台に挟持固定されなくなることが回避される。
【００１２】
前記両面フィルム貼り付け装置において、前記フィルム押さえ板の両端には、いずれもスライドブッシュが鉛直に固定され、前記テンションバーにおける上側面の両端には、いずれもスライドピンが垂直に設けられ、二つの前記スライドピンは、それぞれ二つの前記スライドブッシュ内に摺動可能に挿設され、前記スライドピンには、テンショナースプリングが外装され、前記テンショナースプリングは、上端が前記フィルム押さえ板の下側面に固定され、下端が前記テンションバーの上側面に固定され、前記テンションバーは、前記カッターより低くなり、前記フィルム押さえ段鼻が前記移動挟持板と前記固定挟持板との間に嵌る時に、前記テンションバーは、前記テンションナースプリングの作用によって前記移動挟持板の上側面に圧着され、前記フィルム押さえ段鼻における下縁の両端には、いずれも下方向きの押し片が設けられ、前記押し片の側面は、前記フィルム押さえ段鼻の長手方向に沿って設けられ、前記押し片の下端は、前記テンションバーより低くなり、前記フィルム押さえ板が下降する時に、前記押し片が前記固定挟持板と前記移動挟持板との間に完全に挿入され、前記フィルム押さえ段鼻には、二つの前記押し片が更に設けられ、前記フィルム押さえ段鼻に設けられる二つの前記押し片は、薄目であるため、事前に前記移動挟持板と前記固定挟持板との間に挿入されることができ、この時に前記移動挟持板と前記固定挟持板とが離れ、挟持固定された前記フィルムの端部縁が挟持固定されなくなって前記フィルム押さえ段鼻にしたがって更に下降し、前記フィルム巻き上げドラムが回転を止め、前記フィルムが逆方向に引き動かされるため、前記フィルムの端部縁が前記移動挟持板と前記固定挟持板との間から引き抜かれ、これによって前記フィルムが繰り返して挟持固定且つ分割されて前記固定挟持板と前記移動挟持板との間に堆積することが回避され、前記フィルム押さえ段鼻が前記移動挟持板と前記固定挟持板との間に嵌った後に前記フィルムが引き動かされなくなり、すなわち前記フィルムの引き動かされる距離は、前記フィルムの端部縁が前記挟持固定台から離脱可能な程度でよく、そして前記テンションバーが下降し、上層の前記フィルムの端部が前記移動挟持板に圧着され、この時に前記テンションバーと前記フィルム押さえ段鼻との間における前記フィルムの部分が引張状態にあり、前記カッターによる分割に便利である。
【００１３】
前記両面フィルム貼り付け装置において、前記上回転台と前記下回転台とは、いずれもＵ字型棒状をなし、前記上回転台のノッチは、下方を向き、前記上回転台の両端には、いずれも上支持台が固定され、二つの前記フィルム貼り付けローラは、それぞれ二つの前記上支持台に回転自在に接続され、且つ二つの前記上フィルム貼り付けローラは、前記フィルム貼り付け口の中心線に対し対称に設けられ、二つの前記上フィルム貼り付けローラの対向する端は、いずれも上方に傾斜して設けられ、前記下回転台のノッチは、上方を向き、前記下回転台の両端には、いずれも下支持台が固定して接続され、二つの前記下フィルム貼り付けローラは、それぞれ二つの前記下支持具に回転自在に接続され、且つ二つの前記下フィルム貼り付けローラは、前記フィルム貼り付け口の中心線に対し対称に設けられ、二つの前記下フィルム貼り付けローラの対向する端は、いずれも上方に傾斜して設けられ、前記フレームにおいて前記フィルム貼り付け口の下方には、回転盤が回転自在に接続され、前記回転盤は、前記フィルム貼り付け口と同じ軸心に設けられ、前記回転盤の上側面には、二つの接続管が垂直に設けられ、前記下回転台の下側面には、二つの接続ピンが垂直に設けられ、二つの前記接続ピンは、それぞれ二つの前記接続管内に摺動可能に穿設され、前記接続管内には、緩衝ばねが設けられ、二つの前記下フィルム貼り付けローラは、前記緩衝ばねの作用によって前記フィルム貼り付け口から突起し、前記上回転台が下降する時に前記上フィルム貼り付けローラが前記円蓋の上側面に圧着され、前記円蓋が下方に前記下フィルム貼り付けローラを押圧し、したがって前記下回転台が下降して前記円蓋におけるフランジの縁を前記フィルム貼り付け台と当接させ、この時に前記円蓋が前記上フィルム貼り付けローラと前記下フィルム貼り付けローラとの間に挟持固定される。
【００１４】
前記両面フィルム貼り付け装置において、前記両面フィルム貼り付け装置は、二つの円盤状のフィルムカッターを更に含み、二つの前記上支持台の外端には、いずれも水平に設けられる接続板が上下に配列され、二つの前記接続板には、鉛直方向に沿ってフィルムカッター棒が摺動可能に穿設され、前記フィルムカッター棒の下端には、Ｕ字型板状のフィルムカッターホルダが固定され、前記フィルムカッターホルダのノッチは、下方を向き、前記フィルムカッターは、前記フィルムカッターホルダ内に回転自在に接続され、前記フィルムカッターの回転中心線は、前記フィルム貼り付け口の径方向に沿って設けられ、前記フィルムカッター棒には、位置規制ナットが螺合され、前記フィルムカッター棒には、押さえばねが外装され、前記押さえばねと前記位置規制ナットは、いずれも二つの前記接続板の間に位置し、前記押さえばねは、上端が上方の前記接続板の下側面に圧着され、下端が前記位置規制ナットに圧着され、前記フィルム貼り付け台の上側面には、前記フィルム貼り付け口に周設される環状の位置規制段鼻が設けられ、前記上回転台が下降する時に前記フィルムカッターが前記位置規制段鼻における外側面の前記フィルム貼り付け台の上側面に当接でき、前記上回転台が回転してフィルムを貼り付ける過程において、前記フィルムカッターは、同期に前記位置規制段鼻の外側で前記フィルムを分割し、これによって前記円蓋に貼り付けられる前記フィルムが円形をなし、フィルム貼り付け品質が向上し、また、前記位置規制ナットは、前記案内棒の下端の伸び出す長さを調節でき、これによって前記上フィルム貼り付けローラを前記円蓋に圧着した後の前記フィルムカッターの圧力を調節し、異なる高さの前記円蓋に対応する。
【００１５】
前記両面フィルム貼り付け装置において、前記アクチュエータは、前記フレームに固定される駆動モータを含み、前記フレームには、伝動軸が回転自在に接続され、前記伝動軸は、鉛直に設けられ、前記駆動モータのモータ軸は、前記伝動軸と接続され、前記伝動軸には、それぞれ上駆動プーリと下駆動プーリとが固定して接続され、前記回転盤は、下回転軸によって前記フレームに回転自在に接続され、前記下回転軸には、下従動プーリが固定して接続され、前記下駆動プーリと前記下従動プーリとは、下ベルトによって接続され、前記上回転台は、上回転軸によって前記昇降板に回転自在に接続され、前記フレームには、上従動プーリが回転自在に接続され、前記上従動プーリと前記上駆動プーリとは、上ベルトによって接続され、前記上従動プーリには、中心穴が形成され、前記上回転軸の上端は、上方へ摺動して前記上従動プーリにおける前記中心穴を貫通して設けられ、且つ前記上回転軸と前記上従動プーリとは、スプラインによって係合することで円周方向における位置決めを実現し、前記上回転軸を上方へ摺動させて前記従動プーリにおける前記中心穴に通して設けることで、前記上回転軸と前記昇降板とを同期に昇降させると同時に、前記上回転軸と前記上従動プーリとがスプラインによって係合し、したがって前記アクチュエータは前記駆動モータと前記伝動軸とによって前記上回転台と前記下回転台との同期回転を保証できる。
【発明の効果】
【００１６】
伸縮アームが伸びだす時に、フィルム押しローラがフィルムを押し上げて上回転台と下回転台との間に二層構造に形成させることができるため、円蓋を二層のフィルムの間に入れた後、フィルム圧入部品が引き続きフィルム巻き上げドラムにおけるフィルムを引き出し、上層のフィルムとフィルム巻き上げドラムとの接続部分が挟持固定台に圧入され挟持固定されると、フィルム圧入部品が上層のフィルムをカットし、上回転台が下降する時に上フィルム貼り付けローラが円蓋の上側面に圧着され、そしてアクチュエータが上回転台と下回転台とを同期に回転させ、上フィルム貼り付けローラと下フィルムローラとが二層のフィルムを平らに押し、二層のフィルムが円蓋の両側面に貼り付けられ、貼り付けられたフィルムが整っており、品質と効率が向上する。
【００１７】
フィルム押さえ段鼻に設けられる二つの押し片が事前に移動挟持板と固定挟持板との間に挿入されることができるため、フィルム押さえ段鼻の下降に従って、フィルムの挟持固定された端部の縁が挟持固定されなくなることで、フィルム巻き上げドラムが回転を止め、フィルムが逆方向に引き抜かれ、フィルムの端部縁が移動挟持板と固定挟持板との間から引き抜かれ、フィルムが繰り返して挟持固定且つ分割されて固定挟持板と移動挟持板との間に堆積することが回避される。
【００１８】
上回転台が回転してフィルムを貼り付ける過程において、フィルムカッターが同期に位置規制段鼻の外側でフィルムを整った円形に分割し、フィルム貼り付け品質が向上する。
【図面の簡単な説明】
【００１９】
本願に記載の各方向が、図１と同じ向きに装置を見た際の方向である。
【００２０】
【図１】両面フィルム貼り付け装置の斜視図である。
【図２】両面フィルム貼り付け装置の俯瞰図である。
【図３】図２のＡ―Ａ線に沿う断面図である。
【図４】図１におけるＢの部分の拡大図である。
【図５】図１におけるＣの部分の拡大図である。
【図６】フィルム押し段鼻が挟持固定台内に挿入される時の局部断面図である。
【図７】図１におけるＤの部分の拡大図である。
【図８】図３におけるＥの部分の拡大図である。
【図９】図１におけるＦの部分の拡大図である。
【図１０】フィルムの端部が挟持固定台に挟持固定される時の作業プロセス図である。
【図１１】伸縮アームが伸び出す時の作業プロセス図である。
【図１２】円蓋をフィルム貼り付け台に置く時の作業プロセス図である。
【図１３】フィルムがカッターに切断される時の作業プロセス図である。
【図１４】図１３におけるＧの部分の拡大図である。
【図１５】上フィルム貼り付けローラと下フィルム貼り付けローラが円蓋に圧着される時の作業プロセス図である。
【発明を実施するための形態】
【００２１】
以下、図１〜図１５を参照しながら本実施形態について説明する。本発明の実施例に係る技術的内容を明確かつ完全に説明する。明らかに、以下に説明する実施例は、本発明の実施例の一部にすぎず、すべての実施例ではない。本発明の実施例に基づいて、当業者は、創作的な努力なしで得られるすべての実施例は、本発明の保護範囲内に含まれる。
【００２２】
図１，図２，図３に示すように、両面フィルム貼り付け装置であって、フレーム１と、前記フレーム１に設けられるフィルム貼り付け台２と、を含み、前記フィルム貼り付け台２には、フィルム巻き上げドラム１０２を位置決めできる位置決めローラ１１と、フィルム１０３の引き出された端部縁を挟持固定できる挟持固定台３と、が設けられ、前記フィルム巻き上げドラム１０２は、前記位置決めローラ１１に外装され、位置決めローラ１１は、フィルム貼り付け台２に水平に架設され、位置決めローラ１１は、従来技術における部品であり、フィルム巻き上げドラム１０２を位置決めすることができ、フィルム１０３は、引き出される時に回転でき、位置決めローラ１１の一端には、回転ダンパが設けられることで、フィルム巻き上げドラム１０２の回転に対する抵抗力を増やし、フィルム１０３が引き出されすぎることが回避され、前記フィルム貼り付け台２には、円形のフィルム貼り付け口２１が形成され、前記挟持固定台３は、前記フィルム貼り付け口２１の片側に位置し、前記位置決めローラ１１は、前記挟持固定台３の上方に位置し、前記フィルム貼り付け台２の下方には、下回転台５１が回転自在に接続され、前記フィルム貼り付け台２の上方には、上回転台４１が回転自在に接続され、前記上回転台４１と前記下回転台５１とは、いずれも前記フィルム貼り付け口２１と対向し、前記下回転台５１には、前記円蓋１０１の下側面に当接できる下フィルム貼り付けローラ５３が回転自在に接続され、前記上回転台４１には、上フィルム貼り付けローラ４３が回転自在に接続され、前記フィルム貼り付け台２には、水平方向に沿って伸縮可能な伸縮アーム６１が設けられ、前記伸縮アーム６１には、フィルム押しローラ６２が水平に接続され、前記フィルム押しローラ６２は、前記伸縮アーム６１が伸びだす時に、前記位置決めローラ１１と前記挟持固定台３との間及び前記上回転台４１と前記下回転台５１との間を次第に通過することができ、前記フィルム貼り付け台２の上方には、引き出された前記フィルム１０３を前記挟持固定台３に圧入できるフィルム圧入部品が設けられ、前記フィルム１０３が前記挟持固定台３に挟持固定される時に、前記フィルム圧入部品は、前記フィルム押しローラ６２に引き出された前記フィルム１０３の部分と、前記フィルム１０３の前記挟持固定台３内に位置する部分と、を切り離すことができ、前記フレーム１には、前記上回転台４１と前記フィルム圧入部品とを下降させて前記上フィルム貼り付けローラ４３を前記円蓋１０１の上側面に圧着することができる昇降部品が設けられ、前記フレーム１には、前記上回転台４１と前記下回転台５１とを同期に回転させることができるアクチュエータが設けられる。
【００２３】
図４に示すように、前記挟持固定台３は、細長い形の固定挟持板３１と、細長い形の移動挟持板３２と、を含み、前記固定挟持板３１と前記移動挟持板３２とは、いずれも前記位置決めローラ１１と平行して設けられ、前記固定挟持板３１は、前記フィルム貼り付け台２の上側面に固定され、前記固定挟持板３１における両端の側面には、いずれもガイドピン３１１が垂直に固定して接続され、前記移動挟持板３２の両端には、いずれもガイドブッシュ３２１が固定され、二つの前記ガイドブッシュ３２１は、それぞれ二つの前記ガイドピン３１１に摺動可能に外装され、且つ二つの前記ガイドピン３１１は、いずれも前記ガイドブッシュ３２１から延出し、前記ガイドピン３１１の延出端には、いずれも挟持固定ばね３３が外装され、前記挟持固定ばね３３は、一端が前記移動挟持板３２に働き、他端が前記ガイドピン３１１の端部に働き、前記移動挟持板３２は、前記挟持固定ばね３３の作用によって前記固定挟持板３１に圧着され、前記移動挟持板３２と前記固定挟持板３１との間には、上向きの挟持口３４が形成され、前記固定挟持板３１と前記移動挟持板３２とをいずれも細長い形にすることで、前記フィルム１０３における端部の縁を長手方向に沿って前記固定挟持板３１と前記移動挟持板３２との間に挟持固定し、引き出されたフィルム１０３の部分が平らに広げられる状態にある。図５，６に示すように、前記昇降部品は、昇降気筒４５と、昇降板４と、を含み、前記昇降板４は、水平に設けられ、前記昇降板４は、縦方向に沿って前記フレーム１に摺動可能に接続され、前記昇降気筒４５は、前記フレーム１に固定され、前記昇降気筒４５のピストロッドは、鉛直に下方を向き且つ前記昇降板４と固定して接続され、前記上回転台４１は、前記昇降板４の下側面に回転自在に接続され、前記フィルム圧入部品は、細長い形のフィルム押さえ板７を含み、前記フィルム押さえ板７は、前記固定挟持板３１と平行して設けられ、前記フィルム押さえ板７における上側面の両端には、いずれも案内棒７１が鉛直に固定して接続され、前記昇降板４には、二つの貫穴が形成され、二つの前記案内棒７１は、それぞれ上方へ二つの前記貫穴を貫通して設けられ、前記案内棒７１の上端には、当接段鼻７１１が前記案内棒７１の円周方向に沿って設けられ、前記案内棒７１には、フィルム押さえばね７２が外装され、前記フィルム押さえばね７２は、上端が前記昇降板４の下側面に当接し、下端が前記フィルム押さえ板７の上側面に当接し、前記当接段鼻７１１は、前記フィルム押さえばね７２の作用によって前記昇降板４の上側面に当接し、前記フィルム押さえ板７は、前記上回転台４１より低くなり、前記フィルム押さえ板７を前記上回転台４１より低くすることで、前記昇降板４が下降し且つ前記上回転台４１と前記円蓋１０１とが当接する前に、前記フィルム押さえ板７は、引き出された前記フィルム１０３を前記挟持固定台３内に圧入して挟持固定することができ、引き出された前記フィルム１０３を挟持固定且つ分割した後に、分割された二層の前記フィルム１０３を平らに押して貼り付けて、前記フィルム巻き上げドラム１０２等に邪魔することが回避される。前記フィルム押さえ板７の下側面には、それぞれ長手方向に沿ってフィルム押さえ段鼻７３とカッター７４とが設けられ、前記フィルム押さえ段鼻７３は、前記挟持口３４と対向し、前記カッター７４の下縁は、鋸歯状の刃であり、前記フィルム押さえ段鼻７３の下縁は、前記カッター７４の下縁より低くなり、前記移動挟持板３２の上側面には、長手方向に沿って分割溝３２２が形成され、前記フィルム押さえ板７が下降する時に、前記フィルム押さえ段鼻７３が前記移動挟持板３２と前記固定挟持板３１との間に嵌り、且つ前記カッター７４が前記分割溝３２２内に嵌り、前記フィルム押さえ板７には、前記移動挟持板３２の上側面に圧着できるテンションバー７５が設けられ、前記カッター７４は、前記テンションバー７５と前記フィルム押さえ段鼻７３との間に位置し、前記フィルム押さえ段鼻７３の下縁を前記カッター７４の下縁より低くすることで、前記フィルム押さえ板７が下降する時に、前記フィルム押さえ段鼻７３が事前に前記フィルム１０３を前記移動挟持板３２と前記固定挟持板３１との間に圧入してから、前記カッター７４が分割を行い、これによって、前記フィルム１０３が分割された後に直接的に前記フィルム押さえ段鼻７３から離れて前記挟持固定台３に挟持固定されなくなることが回避される。前記フィルム押さえ板７の両端には、いずれもスライドブッシュ７６が鉛直に固定され、前記テンションバー７５における上側面の両端には、いずれもスライドピン７５１が垂直に設けられ、二つの前記スライドピン７５１は、それぞれ二つの前記スライドブッシュ７６内に摺動可能に挿設され、前記スライドピン７５１には、テンショナースプリング７７が外装され、前記テンショナースプリング７７は、上端が前記フィルム押さえ板７の下側面に固定され、下端が前記テンションバー７５の上側面に固定され、前記テンションバー７５は、前記カッター７４より低くなり、前記フィルム押さえ段鼻７３が前記移動挟持板３２と前記固定挟持板３１との間に嵌る時に、前記テンションバー７５は、前記テンションナースプリング７７の作用によって前記移動挟持板３２の上側面に圧着され、前記フィルム押さえ段鼻７３における下縁の両端には、いずれも下方向きの押し片７８が設けられ、前記押し片７８の側面は、前記フィルム押さえ段鼻７３の長手方向に沿って設けられ、前記押し片７８の下端は、前記テンションバー７５より低くなり、前記フィルム押さえ板７が下降する時に、前記押し片７８が前記固定挟持板３１と前記移動挟持板３２との間に完全に挿入され、前記フィルム押さえ段鼻７３には、二つの前記押し片７８が更に設けられ、前記フィルム押さえ段鼻７３に設けられる二つの前記押し片７８は、薄目であるため、事前に前記移動挟持板３２と前記固定挟持板３１との間に挿入されることができ、この時に前記移動挟持板３２と前記固定挟持板３１とが離れ、挟持固定された前記フィルム１０３の端部縁が挟持固定されなくなって前記フィルム押さえ段鼻７３にしたがって更に下降し、前記フィルム巻き上げドラム１０２が回転を止め、前記フィルム１０３が逆方向に引き動かされるため、前記フィルム１０３の端部縁が前記移動挟持板３２と前記固定挟持板３１との間から引き抜かれ、これによって前記フィルム１０３が繰り返して挟持固定且つ分割されて前記固定挟持板３１と前記移動挟持板３２との間に堆積することが回避され、前記フィルム押さえ段鼻７３が前記移動挟持板３２と前記固定挟持板３１との間に嵌った後に前記フィルム１０３が引き動かされなくなり、すなわち前記フィルム１０３の引き動かされる距離は、前記フィルム１０３の端部縁が前記挟持固定台３から離脱可能な程度でよく、そして前記テンションバー７５が下降し、上層の前記フィルム１０３の端部が前記移動挟持板３２に圧着され、この時に前記テンションバー７５と前記フィルム押さえ段鼻７３との間における前記フィルム１０３の部分が引張状態にあり、前記カッター７４による分割に便利である。
【００２４】
前記フィルム貼り付け台２の上側面には、二つの横向き気筒６が水平に固定して接続され、二つの前記横向き気筒６は、平行して設けられ且つ前記フィルム貼り付け口２１の片側を向き、前記挟持固定台３は、前記フィルム貼り付け口２１と前記横向き気筒６との間に位置し、前記横向き気筒６のピストンロッドは、前記伸縮アーム６１であり、二つの前記伸縮アーム６１の間隔は、前記フィルム貼り付け口２１の内径より大きく、且つ二つの前記伸縮アーム６１が伸び出した時に前記フィルム貼り付け口２１が二つの前記伸縮アーム６１の間に位置し、前記フィルム押しローラ６２の両端は、それぞれ二つの前記伸縮アーム６１の自由端の間に回転自在に接続され、前記伸縮アーム６１は、前記フィルム貼り付け口２１の両側から伸び出すことができ、これによって前記フィルム１０３が前記フィルム貼り付け口２１全体をカバーでき、二つの前記伸縮アーム６１の自由端には、いずれも接続台６３が接続され、図７に示すように、前記接続台６３は、いずれも二本のリンク６３１と、調節ボルト６３２と、調節ナット６３３と、を含み、二本の前記リンク６３１の一端は、ピンによってヒンジ接続され、前記調節ナット６３３の上端には、接続ブッシュ６３４が固定され、前記接続ブッシュ６３４には、回転ブッシュ６３５が回転自在に外装され、一本の前記リンク６３１の他端は、前記回転ブッシュ６３５とピンによってヒンジ接続され、他方の前記リンク６３１の他端は、ピンによって前記調節ボルト６３２とヒンジ接続され、前記調節ボルト６３２は、鉛直に設けられ、且つ下端が前記伸縮アーム６１の自由端と固定して接続され、前記調節ナット６３３は、前記調節ボルト６３２の上端に螺合され、前記フィルム押しローラ６２は、三本あり、三本の前記フィルム押しローラ６２は、対応の三対のピンの間に回転自在に接続され、二層の前記フィルム１０３の間には、前記円蓋１０１を入れるための隙間が形成され、三本の前記フィルム押しローラ６２によって二層の前記フィルム１０３の間に、前記円蓋１０１を入れるために十分な隙間を形成することができ、また、前記調節ナット６３３は、上下二本の前記フィルム押しローラ６２の間隔を調節することで、二層の前記フィルム１０３の間の隙間を調節することができ、これによってフランジの大きい前記円蓋１０１に対応する。
【００２５】
前記上回転台４１と前記下回転台５１とは、いずれもＵ字型棒状をなし、前記上回転台４１のノッチは、下方を向き、前記上回転台４１の両端には、いずれも上支持台４２が固定され、二つの前記フィルム貼り付けローラ４３は、それぞれ二つの前記上支持台４２に回転自在に接続され、且つ二つの前記上フィルム貼り付けローラ４３は、前記フィルム貼り付け口２１の中心線に対し対称に設けられ、二つの前記上フィルム貼り付けローラ４３の対向する端は、いずれも上方に傾斜して設けられ、前記下回転台５１のノッチは、上方を向き、前記下回転台５１の両端には、いずれも下支持台５２が固定して接続され、二つの前記下フィルム貼り付けローラ５３は、それぞれ二つの前記下支持具５２に回転自在に接続され、且つ二つの前記下フィルム貼り付けローラ５３は、前記フィルム貼り付け口２１の中心線に対し対称に設けられ、二つの前記下フィルム貼り付けローラ５３の対向する端は、いずれも上方に傾斜して設けられ、
図８に示すように、前記フレーム１において前記フィルム貼り付け口２１の下方には、回転盤５が回転自在に接続され、前記回転盤５は、前記フィルム貼り付け口２１と同じ軸心に設けられ、前記回転盤５の上側面には、二つの接続管５４が垂直に設けられ、前記下回転台５１の下側面には、二つの接続ピン５５が垂直に設けられ、二つの前記接続ピン５５は、それぞれ二つの前記接続管５４内に摺動可能に穿設され、前記接続管５４内には、緩衝ばね５６が設けられ、二つの前記下フィルム貼り付けローラ５３は、前記緩衝ばね５６の作用によって前記フィルム貼り付け口２１から突起し、前記上回転台４１が下降する時に前記上フィルム貼り付けローラ４３が前記円蓋１０１の上側面に圧着され、前記円蓋１０１が下方に前記下フィルム貼り付けローラ５３を押圧し、したがって前記下回転台５１が下降して前記円蓋１０１におけるフランジの縁を前記フィルム貼り付け台２と当接させ、この時に前記円蓋１０１が前記上フィルム貼り付けローラ４３と前記下フィルム貼り付けローラ５３との間に挟持固定される。図９に示すように、前記両面フィルム貼り付け装置は、二つの円盤状のフィルムカッター８２を更に含み、二つの前記上支持台４２の外端には、いずれも水平に設けられる接続板４２１が上下に配列され、二つの前記接続板４２１には、鉛直方向に沿ってフィルムカッター棒８が摺動可能に穿設され、前記フィルムカッター棒８の下端には、Ｕ字型板状のフィルムカッターホルダ８１が固定され、前記フィルムカッターホルダ８１のノッチは、下方を向き、前記フィルムカッター８２は、前記フィルムカッターホルダ８１内に回転自在に接続され、前記フィルムカッター８２の回転中心線は、前記フィルム貼り付け口２１の径方向に沿って設けられ、前記フィルムカッター棒８には、位置規制ナット８３が螺合され、前記フィルムカッター棒８には、押さえばね８４が外装され、前記押さえばね８４と前記位置規制ナット８３は、いずれも二つの前記接続板４２１の間に位置し、前記押さえばね８４は、上端が上方の前記接続板４２１の下側面に圧着され、下端が前記位置規制ナット８３に圧着され、前記フィルム貼り付け台２の上側面には、前記フィルム貼り付け口２１に周設される環状の位置規制段鼻２２が設けられ、前記上回転台４１が下降する時に前記フィルムカッター８２が前記位置規制段鼻２２における外側面の前記フィルム貼り付け台２の上側面に当接でき、前記上回転台４１が回転してフィルムを貼り付ける過程において、前記フィルムカッター８２は、同期に前記位置規制段鼻２２の外側で前記フィルム１０３を分割し、これによって前記円蓋１０１に貼り付けられる前記フィルム１０３が円形をなし、フィルム貼り付け品質が向上し、また、前記位置規制ナット８３は、前記案内棒７１の下端の伸び出す長さを調節でき、これによって前記上フィルム貼り付けローラ４３を前記円蓋１０１に圧着した後の前記フィルムカッター８２の圧力を調節し、異なる高さの前記円蓋１０１に対応する。前記アクチュエータは、前記フレーム１に固定される駆動モータ９を含み、前記フレーム１には、伝動軸９１が回転自在に接続され、前記伝動軸９１は、鉛直に設けられ、前記駆動モータ９のモータ軸は、前記伝動軸９１と接続され、前記伝動軸９１には、それぞれ上駆動プーリ９２と下駆動プーリ９５とが固定して接続され、前記回転盤５は、下回転軸５７によって前記フレーム１に回転自在に接続され、前記下回転軸５７には、下従動プーリ９６が固定して接続され、前記下駆動プーリ９５と前記下従動プーリ９６とは、下ベルト９７によって接続され、前記上回転台４１は、上回転軸４４によって前記昇降板４に回転自在に接続され、前記フレーム１には、上従動プーリ９３が回転自在に接続され、前記上従動プーリ９３と前記上駆動プーリ９２とは、上ベルト９４によって接続され、前記上従動プーリ９３には、中心穴９３１が形成され、前記上回転軸４４の上端は、上方へ摺動して前記上従動プーリ９３における前記中心穴９３１を貫通して設けられ、且つ前記上回転軸４４と前記上従動プーリ９３とは、スプラインによって係合することで円周方向における位置決めを実現し、前記上回転軸４４を上方へ摺動させて前記従動プーリ９３における前記中心穴９３１に通して設けることで、前記上回転軸４４と前記昇降板４とを同期に昇降させると同時に、前記上回転軸４４と前記上従動プーリ９３とがスプラインによって係合し、したがって前記アクチュエータは前記駆動モータ９と前記伝動軸９１とによって前記上回転台４１と前記下回転台５１との同期回転を保証できる。
【００２６】
図１０に示すように、フィルムを貼り付ける時に、フィルム巻き上げドラム１０２を位置決めローラ１１に外装して位置決めし、フィルム１０３の端部を引き出して下方の挟持固定台３内に挟持固定し、すなわちフィルム１０３の引き出された部分がフィルム押しローラ６２とフィルム貼り付け口２１との間を遮り、そして図１１に示すように、伸縮アーム６１が伸び出し、フィルム押しローラ６２がフィルム１０３を押し上げ、フィルム１０３の下端が挟持固定台３に挟持固定されて位置決めされるため、フィルム巻き上げドラム１０２におけるフィルム１０３が引き出され、フィルム１０３は上回転台４１と下回転台５１との間に二層構造を形成し、図１２に示すように、円蓋１０１を二層のフィルム１０３の間に入れ、円蓋１０１とフィルム貼り付け口２１とは、同心に下フィルム貼り付けローラ５３に圧着すると同時に、円蓋１０１が下層のフィルム１０３に圧着し、図１３に示すように、伸縮アーム６１が引っ込み、そして昇降板４が下降し、図１４に示すように、フィルム押さえ段鼻７３が移動挟持板３２と固定挟持板３１との間に挿入され、テンションバー７５がフィルム１０３を移動挟持板３２に圧着し、カッター７４が分割溝３２２内に嵌ってフィルム１０３を切断し、上回転台４１と下回転台５１との間の二層のフィルム１０３がフィルム巻き上げドラム１０２と離れ、フィルム巻き上げドラム１０２の引き出された端の端部縁が挟持固定台３に挟持固定され、次の円蓋１０１に対するフィルム貼り付けを待ち、図１５に示すように、昇降板４が引き続き下降し、フィルム押さえ板７がフィルム押さえばね７２を圧縮して静止状態を維持し、上フィルム押さえローラが上層のフィルム１０３を円蓋１０１の上側面に圧着し、そしてアクチュエータが上回転台４１と下回転台５１とを同期に回転させ、上フィルム貼り付けローラ４３と下フィルム貼り付けローラ５３が二層のフィルム１０３を平らに押し、二層のフィルム１０３が円蓋１０１の両側側面に貼り付けられる。
【符号の説明】
【００２７】
１  フレーム
１１  位置決めローラ
２  フィルム貼り付け台
２１  フィルム貼り付け口
２２  位置規制段鼻
３  挟持固定台
３１  固定挟持板
３１１  ガイドピン
３２  移動挟持板
３２１  ガイドブッシュ
３２２  分割溝
３３  挟持固定ばね
３４  挟持口
４  昇降板
４１  上回転台
４２  上支持台
４２１  接続板
４３  上フィルム貼り付けローラ
４４  上回転軸
４５  昇降気筒
５  回転盤
５１  下回転台
５２  下支持台
５３  下フィルム貼り付けローラ
５４  接続管
５５  接続ピン
５６  緩衝ばね
５７  下回転軸
６  横向き気筒
６１  伸縮アーム
６２  フィルム押しローラ
６３  接続台
６３１  リンク
６３２  調節ボルト
６３３  調節ナット
６３４  接続ブッシュ
６３５  回転ブッシュ
７  フィルム押さえ板
７１  案内棒
７１１  当接段鼻
７２  フィルム押さえばね
７３  フィルム押さえ段鼻
７４  カッター
７５  テンションバー
７５１  スライドピン
７６  スライドブッシュ
７７  テンショナースプリング
７８  押し片
８  フィルムカッター棒
８１  フィルムカッターホルダ
８２  フィルムカッター
８３  位置規制ナット
８４  押さえばね
９  駆動モータ
９１  伝動軸
９２  上駆動プーリ
９３  上従動プーリ
９３１  中心穴
９４  上ベルト
９５  下駆動プーリ
９６  下従動プーリ
９７  下ベルト
１０１  円蓋
１０２  フィルム巻き上げドラム
１０３  フィルム
【図１】
0006961142.tif 000002
【図２】
0006961142.tif 000003
【図３】
0006961142.tif 000004
【図４】
0006961142.tif 000005
【図５】
0006961142.tif 000006
【図６】
0006961142.tif 000007
【図７】
0006961142.tif 000008
【図８】
0006961142.tif 000009
【図９】
0006961142.tif 000010
【図１０】
0006961142.tif 000011
【図１１】
0006961142.tif 000012
【図１２】
0006961142.tif 000013
【図１３】
0006961142.tif 000014
【図１４】
0006961142.tif 000015
【図１５】
0006961142.tif 000016